(57)【要約】【課題】タッチパッドにより画面上のカーソルを移動させる場合に、タッチパッド上における指の位置に依存せず、ユーザが容易にＣＤ比を切り替えることが可能な情報処理システム等を提供すること。【解決手段】タッチパッドと、表示部と、前記タッチパッド上における操作者の指の接触点の移動量及び移動方向に応じて、前記表示部の画面上に表示されるカーソルを移動させる処理部を備え、前記処理部は、前記タッチパッド上の前記接触点が１点の場合と、２点以上の場合とで、前記接触点の移動量に対する前記カーソルの移動量を異ならせることを特徴とする。【選択図】図６
2016110293.tif 000002
【特許請求の範囲】
【請求項１】
タッチパッドと、
表示部と、
前記タッチパッド上における操作者の指の接触点の移動量及び移動方向に応じて、前記表示部の画面上に表示されるカーソルを移動させる処理部を備え、
前記処理部は、
前記タッチパッド上の前記接触点が１点の場合と、２点以上の場合とで、前記接触点の移動量に対する前記カーソルの移動量を異ならせることを特徴とする、
情報処理システム。
【請求項２】
前記処理部は、
前記タッチパッド上の前記接触点が２点の場合と、３点以上の場合とで、前記接触点の移動量に対する前記カーソルの移動量を異ならせることを特徴とする、
請求項１に記載の情報処理システム。
【請求項３】
前記処理部は、
前記タッチパッド上の前記接触点が２点の場合に、前記接触点のうち、先に前記タッチパッドに接触した一の接触点に対する他の接触点の相対位置が右側の場合と、左側の場合とで、前記接触点の移動量に対する前記カーソルの移動量を異ならせることを特徴とする、
請求項１に記載の情報処理システム。
【請求項４】
前記処理部は、
前記タッチパッド上の前記接触点が２点の場合に、前記接触点のうち、先に前記タッチパッドに接触した一の接触点に対する他の接触点の相対位置が上側の場合と、下側の場合とで、前記接触点の移動量に対する前記カーソルの移動量を異ならせることを特徴とする、
請求項１に記載の情報処理システム。
【請求項５】
前記処理部は、
前記タッチパッド上の前記接触点が２点の場合に、前記接触点間の距離に応じて、前記接触点の移動量に対する前記カーソルの移動量を異ならせることを特徴とする、
請求項１に記載の情報処理システム。
【請求項６】
タッチパッドと、
表示部と、
前記タッチパッド上における操作者の指の接触点の移動量及び移動方向に応じて、前記表示部の画面上に表示されるカーソルを移動させる処理部を備え、
前記処理部は、
前記タッチパッド上の前記接触点が１点の場合と、２点以上の場合とで、前記接触点の移動量に対する前記カーソルの移動量を異ならせることを特徴とする、
情報処理装置。
【請求項７】
タッチパッド上における操作者の指の接触点の移動量及び移動方向に応じて、画面上に表示されるカーソルを移動させる処理ステップを含み、
前記処理ステップにおいて、
前記タッチパッド上の前記接触点が１点の場合と、２点以上の場合とで、前記接触点の移動量に対する前記カーソルの移動量を異ならせることを特徴とする、
情報処理方法。
【発明の詳細な説明】
【技術分野】
【０００１】
本発明は、タッチパッド上の接触点の移動に応じて、画面上のカーソルを移動させるための処理を実行する情報処理システム等に関する。
【背景技術】
【０００２】
従来、タッチパッドにより画面上のカーソルを移動させる場合のＣＤ比（Ｃｏｎｔｒｏｌ−Ｄｉｓｐｌａｙ  Ｒａｔｉｏ：タッチパッドの操作面上における接触点（操作者の指）の移動量に対する画面上のカーソルの移動量の比）を変更する技術が知られている（例えば、特許文献１）。
【０００３】
特許文献１では、タッチパッドの周囲にＣＤ比を変更するための切替タッチパネルを設けている。そのため、当該切替タッチパネルを操作することで、ＣＤ比を比較的大きく設定したり、比較的小さく設定したりすることができる。即ち、タッチパッド上に指を接触させて移動させるスライド操作中において、比較的大きいＣＤ比でカーソルを素早く移動させた後に、比較的小さいＣＤ比に切り替えて、カーソルを操作対象（アイコン等）に合わせて静止させるような操作を比較的容易に行える。
【先行技術文献】
【特許文献】
【０００４】
【特許文献１】特開２００４−２４４８０９号公報
【発明の概要】
【発明が解決しようとする課題】
【０００５】
しかしながら、特許文献１の技術では、切替タッチパネルが固定されているため、複数の切替タッチパネルを設けるとしても、タッチパッド上における指の位置によっては、スライド操作中におけるＣＤ比の切替がし難い場合が生じうる。
【０００６】
そこで、上記課題に鑑み、タッチパッドにより画面上のカーソルを移動させる場合に、タッチパッド上における指の位置に依存せず、ユーザが容易にＣＤ比を切り替えることが可能な情報処理システム等を提供することを目的とする。
【課題を解決するための手段】
【０００７】
上記目的を達成するため、一実施形態において、情報処理システム等は、
タッチパッドと、
表示部と、
前記タッチパッド上における操作者の指の接触点の移動量及び移動方向に応じて、前記表示部の画面上に表示されるカーソルを移動させる処理部を備え、
前記処理部は、
前記タッチパッド上の前記接触点が１点の場合と、２点以上の場合とで、前記接触点の移動量に対する前記カーソルの移動量を異ならせることを特徴とする。
【０００８】
また、上記目的を達成するため、一実施形態において、情報処理方法は、
タッチパッド上における操作者の指の接触点の移動量及び移動方向に応じて、画面上に表示されるカーソルを移動させる処理ステップを含み、
前記処理ステップにおいて、
前記タッチパッド上の前記接触点が１点の場合と、２点以上の場合とで、前記接触点の移動量に対する前記カーソルの移動量を異ならせることを特徴とする。
【発明の効果】
【０００９】
本実施の形態によれば、タッチパッドにより画面上のカーソルを移動させる場合に、タッチパッド上における指の位置に依存せず、ユーザが容易にＣＤ比を切り替えることが可能な情報処理システム等を提供することができる。
【図面の簡単な説明】
【００１０】
【図１】情報処理システムの構成の一例を示すブロック図である。
【図２】タッチパッドとディスプレイの配置態様の一例を示す図である。
【図３】タッチパッドを概略的に示す平面図である。
【図４】タッチパッドの要部断面を概略的に示す断面図である。
【図５】ディスプレイに表示される画面（操作画面）の一例を示す図である。
【図６】第１の実施形態に係る情報処理システム（ディスプレイ制御部）によるＣＤ比切替処理の一例を示すフローチャートである。
【図７】第１の実施形態に係る情報処理システムの作用を説明する図である。
【図８】第２の実施形態に係る情報処理システム（ディスプレイ制御部）によるＣＤ比切替処理の一例を示すフローチャートである。
【図９】第３の実施形態に係る情報処理システム（ディスプレイ制御部）によるＣＤ比切替処理の一例を示すフローチャートである。
【図１０】第３の実施形態に係る情報処理システム（ディスプレイ制御部）によるＣＤ比として設定される第２設定値を変更する手法の一例を説明する図である。
【図１１】第４の実施形態に係る情報処理システム（ディスプレイ制御部）によるＣＤ比切替処理の一例を示すフローチャートである。
【図１２】第４の実施形態に係る情報処理システム（ディスプレイ制御部）によるＣＤ比として設定される第２設定値を変更する手法の一例を説明する図である。
【図１３】第４の実施形態に係る情報処理システムによる作用を説明する図である。
【発明を実施するための形態】
【００１１】
以下、図面を参照して発明を実施するための形態について説明する。
【００１２】
［第１の実施形態］
図１は、本実施形態に係る情報処理システム１の構成の一例を示すブロック図である。情報処理システム１は、タッチパッド１０、ディスプレイ２０、ディスプレイ制御部３０を含み、ディスプレイ２０にタッチパッド１０により操作可能な操作画面を表示させる処理を実行すると共に、タッチパッド１０による操作画面上におけるユーザの操作に伴う、各種処理を実行する。以下、情報処理システム１が車載される前提で説明を行う。
【００１３】
タッチパッド１０は、ディスプレイ２０に表示される画面（操作画面）を操作する操作手段である。タッチパッド１０は、車室内の適切な場所に設けられ、好ましくは、運転者が操作しやすい位置（運転姿勢を保持しながら手が届く位置）に配置されるとよい。タッチパッド１０は、例えば、図２（タッチパッド１０とディスプレイ２０の配置態様の一例を示す図）に示すように、コンソールボックスまたはその周辺に配置されてよい。タッチパッド１０は、図１に示すように、座標検出部１２、押下検出部１４、タッチパッド制御部１６、メモリ１８等を含む。
【００１４】
ここで、更に図３及び図４を用いて、タッチパッド１０の詳細について説明をする。
【００１５】
図３は、タッチパッド１０を概略的に示す平面図である。図４は、タッチパッド１０の要部断面を概略的に示す断面図であり、具体的には、図３におけるＡ−Ａ断面図である。
【００１６】
座標検出部１２は、図３に示すように、２次元の略平らなタッチパッド１０の操作面（タッチ操作面）を含み、タッチ操作面に接触した操作者の指（以下、単に「操作指」と称する）の座標位置、即ち、タッチ操作面上における接触点の座標位置を検出する手段である。座標検出部１２は、例えば、静電センサを備え、その検出信号がタッチパッド制御部１６に出力される。座標検出部１２は、例えば、静電パッドにより構成されてよい。この場合、静電パッドは、例えば、平面上のＸ方向、Ｙ方向のそれぞれに絶縁体を挟んで電極（静電センサ）が直線状に延在する構造を有し、これらの電極の検出信号（電極に蓄えられる電荷の変化量に対応する信号）がタッチパッド制御部１６に出力されてよい。
【００１７】
なお、座標検出部１２から出力される検出信号は、後述するタッチパッド制御部１６により複数の操作指のタッチ操作面への同時接触を検出することが可能な程度の分解能を有する。
【００１８】
また、座標検出部１２は、タッチ操作面に対して鉛直方向（図４のＺ方向。以下、単に「鉛直方向」と称する）に移動可能に構成される。即ち、座標検出部１２（タッチパッド１０の操作面）は、押下げ可能、かつ、押下げ後、元の位置に復帰可能に構成される。座標検出部１２を鉛直方向へ移動可能とするための手段（機構）は任意であってよい。図４に示す一例において、座標検出部１２は、弾性部５４を介して基板６０に支持されることにより、鉛直方向へ移動可能に構成される。なお、座標検出部１２の鉛直方向への移動ストロークは、後述する押下検出部１４により座標検出部１２の移動が検出可能であれば、任意であってよく、微小であってもよい。
【００１９】
なお、以下において、座標検出部１２が押下げられる方向を「鉛直下方向」、押下げられた後に、元の位置に復帰する方向を「鉛直上方向」と称する。
【００２０】
押下検出部１４は、座標検出部１２（タッチパッド１０の操作面）の鉛直下方向への移動、即ち、操作者によるタッチパッド１０の操作面の押下げを検出する手段である。押下検出部１４は、座標検出部１２の鉛直下方向への移動を表す信号をタッチパッド制御部１６に出力する。押下検出部１４は、例えば、タクトスイッチ、感圧センサ（圧電素子等）により構成されてよい。押下検出部１４は、座標検出部１２の鉛直下方向への移動に伴い、座標検出部１２に接触する箇所であれば任意の場所に配置されてよい。図４に示す一例では、押下検出部１４を構成するタクトスイッチ、感圧センサ等は、座標検出部１２の中央部の鉛直下方向に設けられる。また、押下検出部１４を構成するタクトスイッチ、感圧センサ等は、複数箇所に分散して配置されてもよい。
【００２１】
なお、押下検出部１４の代わりに、後述する決定操作を行うための別の手段（例えば、タッチパッド１０の操作面（座標検出部１２）に隣接して設けられるボタンスイッチ等）を設けてもよい。この場合、タッチパッド１０の操作面（座標検出部１２）は、鉛直方向に移動する必要はなく、固定されてよい。
【００２２】
タッチパッド制御部１６は、座標検出部１２からの出力信号に基づき、タッチ操作面に対する操作指の接触を検出する。この際、タッチパッド制御部１６は、タッチ操作面上の座標位置を表す座標信号、即ち、操作者によりタッチ操作された座標位置（タッチ操作面上における接触点の座標位置）を表す座標信号を生成する。生成される座標信号は、ディスプレイ制御部３０に出力される。複数の操作指がタッチ操作面へ同時接触した場合も同様に、タッチパッド制御部１６は、座標検出部１２からの出力信号に基づき、複数の操作指に対応する複数の接触点を検出すると共に、複数の接触点の座標位置を表す座標信号を生成し、ディスプレイ制御部３０に出力する。
【００２３】
なお、座標検出部１２が静電パッドで構成される場合、電極と操作指からなるコンデンサに電荷が蓄えられ、各電極における電荷の変化量が操作指の位置に応じて異なるため、タッチパッド制御部１６は、各電極からの検出信号に基づいて、操作指の座標位置（接触点の座標位置）を特定することができる。
【００２４】
また、タッチパッド制御部１６は、押下検出部１４からの出力信号に基づいて、操作者による決定操作を表す決定信号を生成する。例えば、押下検出部１４が感圧センサからなる場合、感圧センサからの出力（押下圧力）が所定閾値を超えたときに、操作者による決定操作を検出し、決定信号を生成してよい。また、感圧センサが複数箇所に分散して配置される場合は、いずれかの感圧センサからの出力が所定閾値を超えたときに、決定信号を生成してよい。また、押下検出部１４がタクトスイッチからなる場合、タクトスイッチからオン信号が入力されたときに、操作者による決定操作を検出し、決定信号を生成してよい。また、タクトスイッチが複数箇所に分散して配置される場合は、いずれかのタクトスイッチからオン信号が入力されたときに、決定信号を生成してよい。生成される決定信号は、ディスプレイ制御部３０に出力される。
【００２５】
なお、タッチパッド制御部１６、及び、メモリ１８は、例えば、マイクロコンピュータにより構成されてよく、メモリ１８に格納される各種プログラムをＣＰＵ上で実行することにより上述した各種制御処理を実行してよい。
【００２６】
図１に戻り、ディスプレイ２０は、タッチパッド１０に対して遠隔位置に配置され、タッチパッド１０により操作可能な画面（操作画面）を表示する表示手段である。ディスプレイ２０は、車室内の適切な位置、即ち、操作者（運転者）により視認が容易な位置に配置されてよい。例えば、図２（タッチパッド１０とディスプレイ２０の配置態様の一例を示す図）に示すように、インストルメントパネルに配置されてよい。また、ＨＵＤ（ヘッドアップディスプレイ）のように、操作者の視野に直接、操作画面を表示する表示手段であってもよい。ディスプレイ２０には、タッチパッド１０により操作可能な操作内容を表す操作画面が表示される。なお、ディスプレイ２０は、操作画面の背景として、ＴＶ、周辺監視カメラの映像等を表示してよい。また、ディスプレイ２０は、操作画面が表示されない場合、ＴＶ、周辺監視カメラの映像等を表示してよい。
【００２７】
ここで、ディスプレイ２０に表示される操作画面について、図５を用いて、説明を行う。図５は、ディスプレイ２０に表示される画面（操作画面）の一例を示す図である。具体的には、ナビゲーション装置の地図画面を表す。なお、操作画面は、本図に示すように、ディスプレイ２０の表示領域全体に表示されてもよいし、一部に表示されてもよい。また、以下において、「上」、「下」、「左」、及び「右」の方向に関する表記は、ディスプレイ２０の画面上における上、下、左、及び右を指し示す。
【００２８】
図５を参照するに、ディスプレイ２０の表示領域全体に地図画面が表示され、地図画面の中央付近に自車両の位置を示す矢印８２が表示されている。地図画面における地図上の各点は、操作者がタッチパッド１０を介してカーソル８０を移動させることにより選択可能に構成される。例えば、操作者は、カーソル８０を地図上の所望の位置に移動させることにより、ナビゲーション装置における出発地や目的地を選択したり、詳細情報を表示したい施設の位置を選択したりすることができる。この際、操作者は、タッチパッド１０を介して地図上の所望の位置で決定操作を行うことにより出発地、目的地の決定や詳細情報を表示させたい施設の決定を行うことができる。また、ディスプレイ２０に表示される地図は、タッチパッド１０における操作によりスクロール（地図スクロール）させることもできる。また、ディスプレイ２０の画面の左端部及び下端部には、操作可能な操作対象としての選択項目を示すアイコン（仮想的なボタン）が表示される。操作者は、例えば、図５に示すように「目的地セット」のアイコン上にカーソル８０を移動（選択操作）させた状態で、決定操作を行うことにより、ナビゲーション装置における目的地を設定する画面に移行することができる。なお、当該目的地を設定する画面において、操作者は、過去に設定した目的地の履歴、予め登録済みの登録地点リスト、或いは、電話番号、住所、フリーワード等による検索結果等に基づき、目的地の設定を行ってよい。また、以下において、地図画面における地図上の各点についても操作対象としての選択項目の一つとして説明を行う。
【００２９】
このように、操作画面には、複数の選択項目（操作対象）が表示され、操作者が、タッチパッド１０を介して選択項目にカーソルを合わせ（選択操作）、決定操作を行うことにより各選択項目の操作内容が実行される。また、操作画面に表示される選択項目の中には、操作者のタッチパッド１０における操作によりスクロールさせることが可能な選択項目群（リストや地図）が含まれる場合がある。なお、選択項目は、任意の機能に関するものであってよい。即ち、タッチパッド１０で操作可能な操作内容は、任意であってよい。例えば、選択項目は、空調装置の各種設定を行うための選択項目や、その画面をディスプレイ２０に表示させるための選択項目等を含んでよい。また、選択項目は、オーディオ装置における音源ソース（ＣＤ／ＤＶＤ等の光学ディスク、ハードディスク、ラジオ等）を選択する選択項目や、各音源ソース内に含まれる音源（曲、アルバム等）を選択する選択項目等を含んでよい。
【００３０】
ディスプレイ制御部３０は、ディスプレイ２０に表示される画面を制御する制御手段であり、ディスプレイ２０とタッチパッド１０とを同期させながらタッチパッド１０による操作を補助する。具体的に説明すると、ディスプレイ制御部３０は、ディスプレイ２０に操作画面を表示させると共に、タッチパッド１０からの信号（座標信号や決定信号）に基づいて、各種選択項目の選択処理、決定処理等を行う。例えば、操作者がタッチパッド１０の操作面上に指を接触させてスライドさせる操作（選択操作）を行うと、ディスプレイ制御部３０は、当該操作に応じて、操作画面上でカーソルを移動させ、選択項目のいずれか一つが選択された状態にする。即ち、操作者の選択操作に応じて、選択機能を実現する（選択処理）。
【００３１】
なお、ディスプレイ制御部３０は、ディスプレイ２０の画面上の選択項目が存在しない領域にカーソルが位置する場合、何れの選択項目も選択されていない状態にしてもよいし、当該領域に予め対応させた選択項目を選択した状態にしてもよい。また、以下の説明において使用するカーソルには、ポインタが含まれる。
【００３２】
ここで、タッチパッド１０の操作面における接触点の位置及び移動とディスプレイ２０の画面上におけるカーソルの位置及び移動との同期態様、即ち、相対座標モードについて説明する。相対座標モードとは、ディスプレイ２０の画面の座標系がタッチパッド１０の操作面の座標系と相対的な同期態様で同期するモードを指す。相対座標モードにおいて、典型的には、現在のカーソルの位置にディスプレイ２０の座標系の原点が位置し、現在の操作面上での操作指の接触位置にタッチパッド１０の操作面の座標系の原点が位置する態様で、ディスプレイ２０の画面及びタッチパッド１０の操作面の座標系が対応づけられる。例えば、操作者がタッチパッド１０の操作面上に指を接触させ、下側に操作指をスライドさせると、ディスプレイ２０の画面上のカーソルは、画面上の表示位置から下側に移動する。この際、操作面上で操作指をスライドさせた距離（移動量）に応じて、ディスプレイ２０の画面上のカーソルの移動量が決定される。即ち、ディスプレイ制御部３０は、タッチパッド１０の操作面上における移動量及び移動方向応じて、ディスプレイ２０の画面上におけるカーソルを移動させる。この際、ディスプレイ制御部３０は、所定の条件に沿って、ＣＤ比（Ｃｏｎｔｒｏｌ−Ｄｉｓｐｌａｙ  Ｒａｔｉｏ：タッチパッド１０（の操作面）上における移動量に対するディスプレイ２０の画面上におけるカーソルの移動量の比）を設定（変更）する。そして、ディスプレイ制御部３０は、設定されたＣＤ比に応じて、ディスプレイ２０の画面上のカーソルを移動させる。ディスプレイ制御部３０によるＣＤ比を設定（変更）する処理（ＣＤ比変更処理）の詳細は、後述する。
【００３３】
また、ディスプレイ制御部３０は、いずれか一つの選択項目が選択された状態で、操作者がタッチパッド１０を押下げる操作（決定操作）をすると、選択された選択項目の操作内容を実現する。即ち、決定操作に応答して、決定機能を実現する（決定処理）。当該操作内容は、選択項目に依存するが、下位の選択項目の表示や操作画面の変更等のような画面の遷移や、文字の入力、アプリケーションの起動、操作対象装置（例えば空調装置）への制御信号の送信等を伴うものであってよい。
【００３４】
なお、ディスプレイ制御部３０は、例えば、マイクロコンピュータにより構成されてよく、ＲＯＭに格納された各種プログラムをＣＰＵ上で実行することにより上述した各種制御処理を実行してよい。また、ディスプレイ制御部３０の機能の一部又は全部は、タッチパッド１０内のタッチパッド制御部１６やディスプレイ２０内の他の制御部（不図示）により実現されてもよい。また、タッチパッド１０内のタッチパッド制御部１６の機能の一部又は全部がディスプレイ制御部３０により実現されてもよい。また、ディスプレイ制御部３０には、必要に応じて、車速を表す車速情報や、車両の電源の状態（ＩＧ、ＡＣＣ）に関する電源情報等が入力されてよい。
【００３５】
このように、本実施形態のタッチパッド１０によれば、操作者は、ディスプレイ２０を見ながら、タッチパッド１０の操作面に指（例えば、人差し指）で触れて、操作面内で指を移動させる（スライドさせる）ことで選択操作を行い、所望の選択項目を選択することができる。また、操作者は、所望の選択項目が選択された状態で、タッチパッド１０の操作面（座標検出部１２）を押下げることで、決定操作を行うことができる。
【００３６】
次に、本実施形態に係る情報処理システム１によるＣＤ比変更処理について説明をする。
【００３７】
図６は、本実施形態に係る情報処理システム１（ディスプレイ制御部３０）によるＣＤ比変更処理の一例を示すフローチャートである。当該フローチャートは、タッチパッド１０の操作面上に接触点（操作指）が検出される度に実行され、接触点の検出が継続する間（操作者による一連のスライド操作が継続する間）、後述するステップＳ１０１〜Ｓ１０４の処理が繰り返される。また、当該フローチャートの実行中に、タッチパッド１０の操作面上に接触点が検出されなくなった場合、当該フローチャートは、終了する。
【００３８】
ステップＳ１０１にて、ディスプレイ制御部３０は、接触点が１点であるか否かを判定する。ディスプレイ制御部３０は、接触点が１点である場合、ステップＳ１０２に進み、接触点が１点でない（２点以上である）場合、ステップＳ１０４に進む。
【００３９】
ステップＳ１０２にて、ディスプレイ制御部３０は、ＣＤ比を第１設定値に設定する。そして、ディスプレイ制御部３０は、第１設定値に設定されたＣＤ比に応じて、ディスプレイ２０の画面上におけるカーソルを移動させる。
【００４０】
なお、当該第１設定値は、例えば、タッチパッド１０の操作面上を左端部から右端部までスライド操作した場合に、ディスプレイ２０の画面上の左端から右端までカーソルが移動可能な程度のＣＤ比に対応する。また、ＣＤ比が既に第１設定値に設定された状態である場合に、ＣＤ比を再度設定し直す処理を実行する必要はなく、この場合、ステップＳ１０２は、ＣＤ比が第１設定値である状態を維持することを意味する。
【００４１】
ステップＳ１０３にて、ディスプレイ制御部３０は、接触点が１点であるか否か、即ち、接触点が１点である状態が継続しているか否かを判定する。ディスプレイ制御部３０は、接触点が１点である場合、ステップＳ１０２に戻って、ＣＤ比が第１設定値である状態を維持し、接触点が２点以上である場合、ステップＳ１０４に進む。
【００４２】
ステップＳ１０４にて、ディスプレイ制御部３０は、ＣＤ比を第２設定値に設定する。例えば、ＣＤ比が第１設定値に設定された状態である場合、ディスプレイ制御部３０は、ＣＤ比を第１設定値から第２設定値に変更する。そして、ディスプレイ制御部３０は、第２設定値に設定されたＣＤ比に応じて、ディスプレイ２０の画面上におけるカーソルを移動させる。
【００４３】
なお、当該第２設定値は、上述した第１設定値より小さく、例えば、操作者がディスプレイ２０に表示される操作画面の各選択項目上にカーソルを比較的容易に合わせることが可能な程度のＣＤ比に対応する。また、当該第２設定値は、ディスプレイ２０に表示される操作画面に設けられる選択項目の数、大きさ、間隔等に応じて、最適な値に設定されてよい。また、ＣＤ比が既に第２設定値に設定された状態である場合に、ＣＤ比を再度設定し直す処理を実行する必要はなく、この場合、ステップＳ１０４は、ＣＤ比が第２設定値である状態を維持することを意味する。
【００４４】
このように、本実施形態に係る情報処理システム１（ディスプレイ制御部３０）は、タッチパッド１０の操作面上の接触点が１点の場合と、２点以上の場合とで、ＣＤ比を異ならせる。具体的には、接触点が１点の場合（１本の操作指でスライド操作がされる場合）、比較的大きいＣＤ比（＝第１設定値）に設定し、接触点が２点以上の場合（２本の操作指でスライド操作がされる場合）、比較的小さいＣＤ比（＝第２設定値）に設定する。
【００４５】
次に、図７を用いて、図６に示した情報処理システム１（ディスプレイ制御部３０）によるＣＤ比変更処理が有効に機能する場面について説明をする。
【００４６】
図７は、本実施形態に係る情報処理システム１による作用を説明する図である。図７（ａ）は、操作画面の一例である文字入力画面（ナビゲーション装置における目的地をフリーワードで検索する画面）を表し、具体的には、アルファベット及び数字を含むキーボードが表示されている。図７（ｂ）は、図７（ａ）に示す操作画面において、アルファベット「Ａ」（以下、単に「Ａ」と称する）を文字入力した後に、アルファベット「Ｐ」（以下、単に「Ｐ」と称する）を文字入力する場合における操作者によるスライド操作の一例を示す図である。
【００４７】
なお、操作者は、右手でタッチパッド１０の操作面を操作することを前提にする。
【００４８】
図７（ａ）に示すように、「Ａ」は、ディスプレイ２０の画面上の左端部に位置し、「Ｐ」は、ディスプレイ２０の画面上の右端部に位置する。即ち、「Ａ」を文字入力した後に、「Ｐ」を文字入力する場合、カーソル８０を画面の左端部から右端部まで移動させる必要がある。そのため、タッチパッド１０の操作面上における１回のスライド操作でカーソル８０を移動させるには、ＣＤ比が比較的大きな値であることが望ましい。
【００４９】
一方、図７（ａ）に示すように、文字入力画面におけるキーボードの各アルファベット等に割り当てられる領域（選択項目に割り当てられる領域）は、非常に小さく、その間隔も小さい。そのため、タッチパッド１０の操作面上における１回のスライド操作でカーソル８０を「Ｐ」に合わせるには、ＣＤ比が比較的小さな値であることが望ましい。
【００５０】
そこで、図７（ｂ）に示すように、操作者は、タッチパッド１０の操作面の左端部から右端部に向けて人差し指でスライド操作を開始する。そして、タッチパッド１０の操作面の右端にある程度近づいた時点で、中指をタッチパッド１０の操作面に接触させ、人差し指と中指の２本でスライド操作を継続する。これにより、カーソル８０を「Ａ」から「Ｐ」まで素早く移動させつつ、正確に「Ｐ」に合わせることが可能となり、カーソルを移動させる場合における操作性を向上させることができる。
【００５１】
即ち、人差し指１本（接触点が１点）でスライド操作を開始すると、ＣＤ比が比較的大きい第１設定値に設定されるため、タッチパッド１０の操作面上の操作指の移動量に対するカーソル８０の移動量が大きくなり、カーソル８０を「Ａ」から「Ｐ」付近まで素早く移動させることができる。一方、人差し指と中指の２本によるスライド操作に移行すると、ＣＤ比が比較的小さい第２設定値に変更されるため、タッチパッド１０の操作面上の操作指の移動量に対するカーソル８０の移動量が小さくなり、カーソル８０を「Ｐ」に向けてゆっくり移動させることが可能となり、１回のスライド操作でカーソル８０を「Ｐ」に合わせることができる。
【００５２】
このように、本実施形態に係る情報処理システム１によって、操作者は、スライド操作中において、タッチパッド１０の操作面に接触させる指の本数を変更することで、タッチパッド１０の操作面上における指の位置に依存せず、ＣＤ比を容易に変更することができる。また、操作者は、スライド操作中において、タッチパッド１０の操作面に接触させる指の本数を変更することで、スライド操作を中断することなくＣＤ比の変更を行うことができる。
【００５３】
なお、本実施形態では、タッチパッド１０の操作面上における接触点が増える（例えば、１点から２点）場合に、比較的小さいＣＤ比に変更するが、逆であってもよい。即ち、タッチパッド１０の操作面上における接触点が減少する（例えば、２点から１点）場合に、比較的小さいＣＤ比に変更してもよい。この場合、操作者は、タッチパッド１０の操作面に２本の指を接触させてスライド操作を行った後に、接触させる指を１本に変更してスライド操作を継続することで、カーソルを素早く移動させつつ、所望の位置にカーソルを正確に合わせることができる。
【００５４】
［第２の実施形態］
次いで、第２の実施形態について説明をする。
【００５５】
本実施形態に係る情報処理システム１は、タッチパッド１０の操作面上における接触点が２点の場合と、２点以上の場合とで、更にＣＤ比を異ならせる点において、第１の実施形態と異なる。以下、第１の実施形態と同様の構成要素については、同一の符号を付し、異なる部分を中心に説明する。
【００５６】
なお、本実施形態に係る情報処理システム１の構成は、第１の実施形態と同様、図１で表されるため、説明を省略する。
【００５７】
図８は、本実施形態に係る情報処理システム１（ディスプレイ制御部３０）によるＣＤ比変更処理の一例を示すフローチャートである。当該フローチャートは、タッチパッド１０の操作面上に接触点（操作指）が検出される度に実行され、接触点の検出が継続する間（操作者による一連のスライド操作が継続する間）、後述するステップＳ２０１〜Ｓ２０６の処理が繰り返される。また、当該フローチャートの実行中に、タッチパッド１０の操作面上に接触点が検出されなくなった場合、当該フローチャートは、終了する。
【００５８】
ステップＳ２０１にて、ディスプレイ制御部３０は、接触点が何点であるかを判定する。ディスプレイ制御部３０は、接触点が１点である場合、ステップＳ２０２に進み、接触点が２点である場合、ステップＳ２０４に進み、接触点が３点以上である場合、ステップＳ２０６に進む。
【００５９】
ステップＳ２０２にて、ディスプレイ制御部３０は、ＣＤ比を第１設定値に設定する。そして、ディスプレイ制御部３０は、第１設定値に設定されたＣＤ比に応じて、ディスプレイ２０の画面上におけるカーソルを移動させる。
【００６０】
なお、当該第１設定値は、第１の実施形態と同様、例えば、タッチパッド１０の操作面上を左端部から右端部までスライド操作した場合に、ディスプレイ２０の画面上の左端から右端までカーソルが移動可能な程度のＣＤ比に対応する。また、ＣＤ比が既に第１設定値に設定された状態である場合に、ＣＤ比を再度設定し直す処理を実行する必要はなく、この場合、ステップＳ２０２は、ＣＤ比が第１設定値である状態を維持することを意味する。
【００６１】
ステップＳ２０３にて、ディスプレイ制御部３０は、接触点が何点であるかを判定する。ディスプレイ制御部３０は、接触点が１点である場合、ステップＳ２０２に戻って、ＣＤ比が第１設定値である状態を維持し、接触点が２点である場合、ステップＳ２０４に進み、接触点が３点以上である場合、ステップＳ２０６に進む。
【００６２】
ステップＳ２０４にて、ディスプレイ制御部３０は、ＣＤ比を第２設定値に設定する。例えば、ＣＤ比が第１設定値に設定された状態である場合、ディスプレイ制御部３０は、ＣＤ比を第１設定値から第２設定値に変更する。そして、ディスプレイ制御部３０は、第２設定値に設定されたＣＤ比に応じて、ディスプレイ２０の画面上におけるカーソルを移動させる。
【００６３】
なお、当該第２設定値は、第１の実施形態と同様、上述した第１設定値より小さく、例えば、操作者がディスプレイ２０に表示される操作画面の各選択項目上にカーソルを比較的容易に合わせることが可能な程度のＣＤ比に対応する。また、当該第２設定値は、ディスプレイ２０に表示される操作画面に設けられる選択項目の数、大きさ、間隔等に応じて、最適な値に設定されてよい。また、ＣＤ比が既に第２設定値に設定された状態である場合に、ＣＤ比を再度設定し直す処理を実行する必要はなく、この場合、ステップＳ２０４は、ＣＤ比が第２設定値である状態を維持することを意味する。
【００６４】
ステップＳ２０５にて、ディスプレイ制御部３０は、接触点が何点であるか判定する。ディスプレイ制御部３０は、接触点が１点である場合、ステップＳ２０２に戻り、接触点が２点である場合、ステップＳ２０４に戻って、ＣＤ比が第２設定値である状態を維持し、接触点が３点以上である場合、ステップＳ２０６に進む。
【００６５】
ステップＳ２０６にて、ディスプレイ制御部３０は、ＣＤ比を第３設定値に設定する。例えば、ＣＤ比が第１設定値又は第２設定値に設定された状態である場合、ディスプレイ制御部３０は、ＣＤ比を第１設定値又は第２設定値から第３設定値に変更する。そして、ディスプレイ制御部３０は、第３設定値に設定されたＣＤ比に応じて、ディスプレイ２０の画面上におけるカーソルを移動させる。
【００６６】
なお、当該第３設定値は、上述した第２設定値より小さく、例えば、ディスプレイ２０の画面上における選択項目の大きさや間隔が非常に小さい場合であっても、正確にカーソルを当該選択項目に合わせることができるようなＣＤ比に対応する。また、ＣＤ比が既に第３設定値に設定された状態である場合に、ＣＤ比を再度設定し直す処理を実行する必要はなく、この場合、ステップＳ２０６は、ＣＤ比が第３設定値である状態を維持することを意味する。
【００６７】
このように、本実施形態に係る情報処理システム１は、タッチパッド１０の操作面上における接触点が２点の場合と、３点以上の場合とで、更にＣＤ比を異ならせる。これにより、ＣＤ比をより細かく変更させることができるので、カーソルを移動させる場合における操作性を更に向上させることができる。
【００６８】
なお、本実施形態では、タッチパッド１０の操作面上における接触点が増える（例えば、１点から２点）場合に、比較的小さいＣＤ比に変更するが、逆であってもよい。即ち、タッチパッド１０の操作面上における接触点が減少する（例えば、３点から２点或いは１点）場合に、比較的小さいＣＤ比に変更してもよい。この場合、操作者は、タッチパッド１０の操作面に３本の指を接触させてスライド操作を行った後に、接触させる指を２本或いは１本に変更してスライド操作を継続することで、カーソルを素早く移動させつつ、所望の位置にカーソルを正確に合わせることができる。
【００６９】
また、上述した第２設定値及び第３設定値は、操作性等を考慮して適宜設定されてよい。例えば、第３設定値を第１の実施形態における第２設定値に相当する値とし、第２設定値を第１設定値と当該第３設定値との間の値としてよい。これにより、ＣＤ比が第２設定値に設定されると、第１設定値に対応するカーソルの移動速度と第３設定値（第１の実施形態における第２設定値）に対応するカーソルの移動速度の中間的なカーソルの移動速度が実現される。
【００７０】
［第３の実施形態］
次いで、第３の実施形態について説明をする。
【００７１】
本実施形態に係る情報処理システム１は、タッチパッド１０の操作面上における接触点が２点の場合において、先に接触した一の接触点に対する他の接触点の相対位置に応じて、ＣＤ比を異ならせる点において、第１の実施形態と異なる。以下、第１の実施形態と同様の構成要素について同一の符号を付し、異なる部分を中心に説明する。
【００７２】
なお、本実施形態に係る情報処理システム１の構成は、第１の実施形態と同様、図１で表されるため、説明を省略する。
【００７３】
図９は、本実施形態に係る情報処理システム１（ディスプレイ制御部３０）によるＣＤ比変更処理の一例を示すフローチャートである。当該フローチャートは、タッチパッド１０の操作面上に接触点（操作指）が検出される度に実行され、接触点の検出が継続する間（操作者による一連のスライド操作が継続する間）、後述するステップＳ３０１〜Ｓ３０６の処理が繰り返される。また、当該フローチャートの実行中に、タッチパッド１０の操作面上に接触点が検出されなくなった場合、当該フローチャートは、終了する。また、当該フローチャートの開始時点において、後述する第２設定値は、後述するデフォルト値に設定されている。
【００７４】
ステップＳ３０１にて、ディスプレイ制御部３０は、接触点が何点であるか判定する。ディスプレイ制御部３０は、接触点が１点である場合、ステップＳ３０２に進み、接触点が２点である場合、ステップＳ３０６に進み、接触点が３点以上である場合、ステップＳ３０５に進む。
【００７５】
ステップＳ３０２にて、ディスプレイ制御部３０は、ＣＤ比を第１設定値に設定する。そして、ディスプレイ制御部３０は、第１設定値に設定されたＣＤ比に応じて、ディスプレイ２０の画面上におけるカーソルを移動させる。
【００７６】
なお、当該第１設定値は、第１の実施形態と同様、例えば、タッチパッド１０の操作面上を左端部から右端部までスライド操作した場合に、ディスプレイ２０の画面上の左端から右端までカーソルが移動可能な程度のＣＤ比に対応する。また、ＣＤ比が既に第１設定値に設定された状態である場合に、ＣＤ比を再度設定し直す処理を実行する必要はなく、この場合、ステップＳ３０２は、ＣＤ比が第１設定値である状態を維持することを意味する。
【００７７】
ステップＳ３０３にて、ディスプレイ制御部３０は、接触点が何点であるかを判定する。ディスプレイ制御部３０は、接触点が１点である場合、ステップＳ３０２に戻って、ＣＤ比が第１設定値である状態を維持し、接触点が２点である場合、ステップＳ３０４に進み、接触点が３点以上である場合、ステップＳ３０５に進む。
【００７８】
ステップＳ３０４にて、ディスプレイ制御部３０は、接触点のうち、１点目（先にタッチパッド１０の操作面に接触した操作指に対応する接触点）に対する２点目（後にタッチパッド１０の操作面に接触した操作指に対応する接触点）の相対位置に応じて、第２設定値を決定（変更）する。
【００７９】
なお、タッチパッド１０の操作面における一連のスライド操作で、１点目と２点目の相対位置関係は大きく変わらないことを前提として、ステップＳ３０４の処理は、検出される接触点が１点から２点に変わった場合に限り、実行される。
【００８０】
一方、ステップＳ３０５にて、ディスプレイ制御部３０は、第２設定値をデフォルト値に設定する。
【００８１】
なお、当該デフォルト値は、第１の実施形態における第２設定値に相当する値である。また、第２設定値がデフォルト値に設定された状態である場合に、第２設定値を再度設定し直す処理を実行する必要はなく、この場合、ステップＳ３０５は、第２設定値がデフォルト値である状態を維持することを意味する。
【００８２】
ステップＳ３０６にて、ディスプレイ制御部３０は、ＣＤ比を第２設定値に設定する。
例えば、ＣＤ比が第１設定値に設定された状態である場合、ディスプレイ制御部３０は、ＣＤ比を第１設定値から第２設定値に変更する。そして、ディスプレイ制御部３０は、第２設定値に設定されたＣＤ比に応じて、ディスプレイ２０の画面上におけるカーソルを移動させる。
【００８３】
ここで、ステップＳ３０５に対応するＣＤ比として設定される第２設定値を変更する手法について説明する。
【００８４】
図１０は、本実施形態に係る情報処理システム１（ディスプレイ制御部３０）によるＣＤ比として設定される第２設定値を変更する手法を説明する図である。図１０（ａ）は、１点目に対する２点目の相対位置に対応するエリア分割を示す図である。図１０（ｂ）は、図１０（ａ）に示すように分割される各エリアに対応して第２設定値を変更する手法の一例を示す図である。図１０（ｃ）は、図１０（ａ）に示すように分割される各エリアに対応して第２設定値を変更する手法の他の例を示す図である。図１０（ｄ）は、図１０（ａ）に示すように分割される各エリアに対応して第２設定値を変更する手法の更に他の例を示す図である。
【００８５】
図１０（ａ）に示すように、１点目を原点として、タッチパッド１０の操作面上におけるＸ座標（左右方向の座標）とＹ座標（上下方向の座標）を設定し、第１象限に対応する領域をエリアＡａ、第２象限に対応する領域をエリアＡｂ、第３象限に対応する領域をエリアＡｃ、第４象限に対応する領域をエリアＡｄとする。このように分割される各エリアＡａ〜Ａｄのうち、何れのエリアに２点目が含まれるかに応じて、図１０（ｂ）〜（ｄ）に示す実施例では、ＣＤ比として設定される第２設定値を変更する。
【００８６】
なお、タッチパッド１０の操作面上における「上」、「下」、「左」、及び「右」は、ディスプレイ２０の画面上における上、下、左、及び右に対応して決定される。即ち、ディスプレイ２０の画面上におけるカーソルを上、下、左、右の各方向に動かすためにスライド操作を行う各方向がタッチパッド１０の操作面における上、下、左、右として決定される。また、２点目の接触点が各エリアＡａ〜Ａｄ同士の境界線上に位置する場合は、予め定める条件に沿って、エリアＡａ〜Ａｄの何れかのエリアに含まれるものとして扱う処理を実行する。
【００８７】
図１０（ｂ）を参照するに、２点目がエリアＡａ又はエリアＡｂに含まれる場合（１点目に対して２点目がＹ座標の正側（上側）に位置する場合）、第２設定値を所定値Ｖａｂに設定する。また、２点目がエリアＡｃ又はエリアＡｄに含まれる場合（１点目に対して２点目がＹ座標の負側（下側）に位置する場合）、第２設定値を所定値Ｖａｂと異なる所定値Ｖｃｄに設定する。即ち、本実施例では、１点目に対して２点目が上側に位置する場合と、下側に位置する場合とで、ＣＤ比として設定される第２設定値を異ならせる。
【００８８】
なお、所定値Ｖａｂ、Ｖｃｄは、操作性等を考慮して、適宜設定されてよい。例えば、一方は、上記デフォルト値と同等とし、他方は、より小さい値として、より正確にカーソルを選択項目に合わせることができるようにしてもよい。また、他方は、より大きい値として、上記第１設定値に対応するカーソルの移動速度と上記デフォルト値に対応するカーソルの移動速度の中間的なカーソルの移動速度を実現してもよい。
【００８９】
また、図１０（ｃ）を参照するに、２点目がエリアＡａ又はエリアＡｄに含まれる場合（１点目に対して２点目がＸ座標の正側（右側）に位置する場合）、第２設定値を所定値Ｖａｄに設定する。また、２点目がエリアＡｂ又はエリアＡｃに含まれる場合（１点目に対して２点目がＸ座標の負側（左側）に位置する場合）、第２設定値を所定値Ｖａｄと異なる所定値Ｖｂｃに設定する。即ち、本実施例では、１点目に対して２点目が上側に位置する場合と、下側に位置する場合とで、ＣＤ比として設定される第２設定値を異ならせる。
【００９０】
なお、所定値Ｖａｄ、Ｖｂｃは、図１０（ｂ）に示した実施例と同様、操作性等を考慮して、適宜設定されてよい。
【００９１】
また、図１０（ｄ）を参照するに、２点目がエリアＡａに含まれる場合（１点目に対して２点目が上側かつ右側に位置する場合）、第２設定値を所定値Ｖａに設定する。また、２点目がエリアＡｂに含まれる場合（１点目に対して２点目が上側かつ左側に位置する場合）、第２設定値を所定値Ｖａと異なる所定値Ｖｂに設定する。また、２点目がエリアＡｃに含まれる場合（１点目に対して２点目が下側かつ左側に位置する場合）、第２設定値を所定値Ｖａ、Ｖｂと異なる所定値Ｖｃに設定する。また、２点目がエリアＡｄに含まれる場合（１点目に対して２点目が下側かつ右側に位置する場合）、第２設定値を所定値Ｖａ、Ｖｂ、Ｖｃと異なる所定値Ｖｄに設定する。即ち、本実施例では、１点目に対して２点目が上側に位置するのか下側に位置するのか、及び、右側に位置するのか左側に位置するのかにより、ＣＤ比として設定される第２設定値を異ならせる。
【００９２】
なお、所定値Ｖａ〜Ｖｄは、図１０（ｂ）、（ｃ）に示した実施例と同様、操作性等を考慮して、適宜設定されてよい。
【００９３】
このように、本実施形態に係る情報処理システム１は、タッチパッド１０の操作面上における接触点が２点の場合において、１点目に対する２点目の相対位置に応じて、ＣＤ比として設定される第２設定値を変更する。即ち、１点目に対する２点目の相対位置に応じて、ＣＤ比を異ならせる。これにより、ＣＤ比をより細かく変更させることができるので、カーソルを移動させる場合における操作性を更に向上させることができる。
【００９４】
また、図１０（ｂ）〜（ｄ）に示す実施例では、１点目に対して２点目が上側に位置するのか下側に位置するのか、及び／又は、１点目に対して２点目が右側に位置するのか左側に位置するのかにより、ＣＤ比を異ならせる。これにより、ＣＤ比を変更する場合における情報処理システム１（ディスプレイ制御部３０）の処理負荷（演算負荷）を比較的低く抑えることができる。即ち、ディスプレイ制御部３０は、１点目と２点目の左右方向に対応するＸ座標、及び／又は、上下方向に対応するＹ座標の大小関係のみを判断すればよいため、処理負荷（演算負荷）を比較的低く抑えることができる。
【００９５】
更に、図１０（ｃ）に示す実施例のように、１点目に対して２点目が右側に位置する場合と、左側に位置する場合とで、ＣＤ比を異ならせることで、操作者が使用する指の種類（例えば、人差し指、中指等）に合わせたＣＤ比の変更を正確に行うことが可能となる。即ち、人間の手首の可動域を考慮すると、タッチパッド１０の操作面上において、操作者の各指の左右位置が入れ替わることはない。例えば、右手の人差し指と中指でスライド操作が行われることを前提にすると、１点目に対して２点目が右側の場合、２点目に対応する指は中指であり、左側の場合、２点目に対応する指は人差し指となる。そのため、情報処理システム１は、操作者の各指に合わせて、ＣＤ比（として設定される第２設定値）を正確に設定することが可能となり、カーソルを移動させる場合における操作性が更に向上する。
【００９６】
［第４の実施形態］
次いで、第４の実施形態について説明をする。
【００９７】
本実施形態に係る情報処理システム１は、タッチパッド１０の操作面上における接触点が２点の場合において、当該２点間の距離に応じて、ＣＤ比を異ならせる点において、第１の実施形態と異なる。以下、第１の実施形態と同様の構成要素について同一の符号を付し、異なる部分を中心に説明する。
【００９８】
なお、本実施形態に係る情報処理システム１の構成は、第１の実施形態と同様、図１で表されるため、説明を省略する。
【００９９】
図１１は、本実施形態に係る情報処理システム１（ディスプレイ制御部３０）によるＣＤ比変更処理の一例を示すフローチャートである。当該フローチャートは、タッチパッド１０の操作面上に接触点（操作指）が検出される度に実行され、接触点の検出が継続する間（操作者による一連のスライド操作が継続する間）、後述するステップＳ４０１〜Ｓ４０６の処理が繰り返される。また、当該フローチャートの実行中に、タッチパッド１０の操作面上に接触点が検出されなくなった場合、当該フローチャートは、終了する。
【０１００】
ステップＳ４０１にて、ディスプレイ制御部３０は、接触点が何点であるか判定する。ディスプレイ制御部３０は、接触点が１点である場合、ステップＳ４０２に進み、接触点が２点である場合、ステップＳ４０４に進み、接触点が３点以上である場合、ステップＳ４０５に進む。
【０１０１】
ステップＳ４０２にて、ディスプレイ制御部３０は、ＣＤ比を第１設定値に設定する。そして、ディスプレイ制御部３０は、第１設定値に設定されたＣＤ比に応じて、ディスプレイ２０の画面上におけるカーソルを移動させる。
【０１０２】
なお、当該第１設定値は、第１の実施形態と同様、例えば、タッチパッド１０の操作面上を左端部から右端部までスライド操作した場合に、ディスプレイ２０の画面上の左端から右端までカーソルが移動可能な程度のＣＤ比に対応する。また、ＣＤ比が既に第１設定値に設定された状態である場合に、ＣＤ比を再度設定し直す処理を実行する必要はなく、この場合、ステップＳ４０２は、ＣＤ比が第１設定値である状態を維持することを意味する。
【０１０３】
ステップＳ４０３にて、ディスプレイ制御部３０は、接触点が何点であるかを判定する。ディスプレイ制御部３０は、接触点が１点である場合、ステップＳ４０２に戻って、ＣＤ比が第１設定値である状態を維持し、接触点が２点である場合、ステップＳ４０４に進み、接触点が３点以上である場合、ステップＳ４０５に進む。
【０１０４】
ステップＳ４０４にて、ディスプレイ制御部３０は、接触点間（２点間）の距離に応じて、第２設定値を決定（変更）する。
【０１０５】
一方、ステップＳ４０５にて、ディスプレイ制御部３０は、第２設定値をデフォルト値に設定する。
【０１０６】
なお、当該デフォルト値は、第３の実施形態と同様、第１の実施形態における第２設定値に相当する値である。また、第２設定値がデフォルト値に設定された状態である場合に、第２設定値を再度設定し直す処理を実行する必要はなく、この場合、ステップＳ４０５は、第２設定値がデフォルト値である状態を維持することを意味する。
【０１０７】
ステップＳ４０６にて、ディスプレイ制御部３０は、ＣＤ比を第２設定値に設定する。
例えば、ＣＤ比が第１設定値に設定された状態である場合、ディスプレイ制御部３０は、ＣＤ比を第１設定値から第２設定値に変更する。そして、ディスプレイ制御部３０は、第２設定値に設定されたＣＤ比に応じて、ディスプレイ２０の画面上におけるカーソルを移動させる。
【０１０８】
ここで、ステップＳ４０５に対応するＣＤ比として設定される第２設定値を変更する手法について説明する。
【０１０９】
図１２は、本実施形態に係る情報処理システム１（ディスプレイ制御部３０）によるＣＤ比として設定される第２設定値を変更する手法を説明する図であり、具体的には、２つの接触点間の距離Ｄと決定される第２設定値の関係を示す図である。
【０１１０】
なお、所定距離Ｌ１〜Ｌ３は、Ｌ１＞Ｌ２＞Ｌ３＞０の関係を満足し、所定値Ｖ１〜Ｖ４は、Ｖ１＞Ｖ２＞Ｖ３＞Ｖ４＞０の関係を満足する。
【０１１１】
図１２を参照するに、接触点間の距離Ｄが所定距離Ｌ１より大きい場合、第２設定値は、所定値Ｖ１に決定される。また、接触点間の距離Ｄが所定距離Ｌ１以下、かつ、所定距離Ｌ２より大きい場合、第２設定値は、所定値Ｖ２に決定される。また、接触点間の距離Ｄが所定距離Ｌ２以下、かつ、所定距離Ｌ３より大きい場合、第２設定値は、所定値Ｖ３に決定される。また、接触点間の距離Ｄが所定距離Ｌ３以下の場合、第２設定値は、所定値Ｖ４に決定される。
【０１１２】
このように、本実施形態に係る情報処理システム１は、接触点が２点の場合において、当該２点間の距離Ｄに応じて、ＣＤ比として設定される第２設定値を変更する。即ち、接触点が２点の場合において、当該２点間の距離Ｄに応じて、ＣＤ比を異ならせる。具体的には、当該２点間の距離Ｄが小さくなるにつれて、ＣＤ比が小さくなるようにする。
【０１１３】
次に、図１３を用いて、図１１に示した情報処理システム１（ディスプレイ制御部３０）によるＣＤ比変更処理が有効に機能する場面について説明をする。
【０１１４】
図１３は、本実施形態に係る情報処理システム１による作用を説明する図である。具体的には、上述した図７（ａ）に示す操作画面において、「Ａ」を文字入力した後に、「Ｐ」を文字入力する場合における操作者によるスライド操作の一例を示す図である。
【０１１５】
なお、操作者は、右手でタッチパッド１０の操作面を操作することを前提にする。
【０１１６】
図１３に示すように、操作者は、タッチパッド１０の操作面の左端部から右端部に向けて人差し指でスライド操作を開始する。そして、タッチパッド１０の操作面の右端にある程度近づいた時点で、中指をタッチパッド１０の操作面に接触させ、人差し指と中指のそれぞれに対応する接触点間の距離Ｄを少しずつ狭めながらスライド操作を継続する。これにより、カーソルをディスプレイ２０の操作画面上の選択項目（図７（ａ）の「Ｐ」）に合わせる際の移動量を適宜調整することができるため、カーソルを移動させる場合における操作性を更に向上させることができる。
【０１１７】
以上、本発明を実施するための形態について詳述したが、本発明はかかる特定の実施形態に限定されるものではなく、特許請求の範囲に記載された本発明の要旨の範囲内において、種々の変形・変更が可能である。
【０１１８】
例えば、上述した実施形態では、接触点数（例えば、１点、２点以上等）毎に対応するＣＤ比（例えば、第１設定値、第２設定値等）を設定したが、タッチパッド１０の操作面上に接触点が検出される状態になった際の接触点数を基準点数として、基準点数に対する増加又は減少に応じて、ＣＤ比を設定してもよい。具体的には、基準点数におけるＣＤ比を第１設定値とすると共に、基準点数から接触点数が１点以上増加した場合におけるＣＤ比を第２設定値する等してもよい。換言すれば、情報処理システム１は、タッチパッド１０の操作面上に接触点が検出される状態において、接触点数の変化に応じて、ＣＤ比を変更してよい。
【０１１９】
また、上述した実施形態では、タッチパッド、表示部としてのディスプレイ２０、処理部としてのディスプレイ制御部３０が分散配置される情報処理システム１を例示して説明を行ったが、当該情報処理システム１に係る技術は、タッチパッド、表示部、処理部の機能を含む情報処理装置として実現されてもよい。
【０１２０】
また、上述した実施形態では、タッチパッド、表示部、処理部が車両内に含まれるが、例えば、処理部の機能は、既知の無線通信ネットワークを介して表示部及びタッチパッドと通信可能に接続される遠隔地の情報センタ内に設けられてもよい。
【０１２１】
また、上述した実施形態では、情報処理システムがタッチパッドにより操作画面を操作する車両用操作装置に適用されるが、当該情報処理システムは、車両以外のタッチパッドにより画面を操作する任意の操作装置に適用されてもよい。例えば、上述した実施形態に係る情報処理システムに係る技術は、タッチパッド、ディスプレイ、及び、ＣＰＵを含むノート型ＰＣ等に適用されてもよい。
【符号の説明】
【０１２２】
１  情報処理システム
１０  タッチパッド
１２  座標検出部
１４  押下検出部
１６  タッチパッド制御部
１８  メモリ
２０  ディスプレイ（表示部）
３０  ディスプレイ制御部（処理部）
５４  弾性部
６０  基板
８０  カーソル
【図１】
2016110293.tif 000003
【図２】
2016110293.tif 000004
【図３】
2016110293.tif 000005
【図４】
2016110293.tif 000006
【図５】
2016110293.tif 000007
【図６】
2016110293.tif 000008
【図７】
2016110293.tif 000009
【図８】
2016110293.tif 000010
【図９】
2016110293.tif 000011
【図１０】
2016110293.tif 000012
【図１１】
2016110293.tif 000013
【図１２】
2016110293.tif 000014
【図１３】
2016110293.tif 000015